【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
画像を表示する画面を有する画像表示手段と、
前記画像表示手段の水平面に対する傾き角度を検出する角度検出手段と、
前記角度検出手段によって検出された傾き角度と所定の基準角度の間の差分値を算出する差分値算出手段と、
前記差分値算出手段によって算出された差分値に応じて、画質パラメータの基準値を調整することにより、前記画像表示手段の画面の画質を補正する画像補正手段と、
を備える画像処理装置。
【請求項２】
実行可能な複数の機能のうち、現在動作中の機能を判別する機能判別手段を備え、
前記差分値算出手段は、前記機能判別手段によって判別された機能に応じて、差分値の算出を行う、
ことを特徴とする請求項１に記載の画像処理装置。
【請求項３】
前記画像補正手段は、
前記差分値算出手段により算出された差分値が一定時間同じかあるいは所定範囲内の値を維持していた場合には、画面画質の補正を行う、
ことを特徴とする請求項１又は２に記載の画像処理装置。
【請求項４】
前記差分値算出手段は、
第１のタイミングにおいて検出された第１の角度と、該第１のタイミングから所定期間後の第２のタイミングにおいて検出された第２の角度と、を比較して、該所定期間内における角度の変化量を取得する変化量取得手段と、
前記変化量取得手段によって取得された変化量が所定の範囲内にあるか否かを判別する変化量判別手段と、
を備え、
前記変化量判別手段によって変化量が所定の範囲内にあると判別された場合、前記第１又は第２のタイミングにおける角度を取得して前記所定の基準角度との差分値を算出する、
ことを特徴とする請求項１乃至３のいずれか１項に記載の画像処理装置。
【請求項５】
前記差分値算出手段は、
前記角度検出手段によって検出された傾き角度が所定の範囲内にあるか否かを判別する角度判別手段を備え、
前記角度判別手段によって角度が所定の範囲内にあると判別された場合、該傾き角度を取得して前記所定の基準角度との差分値を算出する、
ことを特徴とする請求項１乃至４のいずれか１項に記載の画像処理装置。
【請求項６】
前記画像補正手段は、
前記差分値算出手段によって算出された差分が所定の閾値を超えている場合、該差分に応じて、前記画質パラメータの基準値を調整する、
ことを特徴とする請求項１乃至５のいずれか１項に記載の画像処理装置。
【請求項７】
前記差分値と前記画質パラメータの調整値とを対応付けるテーブルを前記機能毎に記憶するテーブル記憶手段をさらに備え、
前記画像補正手段は、
前記差分値算出手段によって算出された差分に対応する前記所定パラメータの調整値を、設定されている機能に対応するテーブルから取得し、該取得した調整値に従って該画質パラメータの基準値を調整する、
ことを特徴とする請求項１乃至６のいずれか１項に記載の画像処理装置。
【請求項８】
画像を表示する画面を有する画像表示手段と、
前記画像表示手段の画面に対向しているユーザの顔を撮影する撮影手段と、
前記撮影手段による撮影で得られたユーザの顔画像に基づいて、前記画像表示手段の画面と該ユーザの顔とが形成する相対角度を算出する角度算出手段と、
前記角度算出手段によって算出された相対角度に応じて、前記画像表示手段の画面の画質を補正する画像補正手段と、
を備える画像処理装置。
【請求項９】
前回の撮影で得られた顔画像と今回の撮影で得られた顔画像とを比較して、ユーザの顔の位置が移動したか否かを判別する顔移動判別手段と、
前記顔移動判別手段によってユーザの顔の位置が移動したと判別された場合、今回の撮影で得られた顔画像に基づいて算出された角度と前回の撮影で得られた顔画像に基づいて算出された角度との差分を算出することにより、該ユーザの顔の位置の移動量を取得する顔移動量取得手段と、
を更に備え、
前記画像補正手段は、前記顔移動量取得手段によって取得した移動量に応じて、画質パラメータの基準値を調整することにより、前記画像表示手段の画面の画質を補正する、
ことを特徴とする請求項８に記載の画像処理装置。
【請求項１０】
画像を表示する画面を有する画像表示手段を備える画像処理装置のコンピュータに、
前記画像表示手段の水平面に対する傾き角度を検出する角度検出手順と、
前記角度検出手順によって検出された傾き角度と所定の基準角度との間の差分値を算出する差分値算出手順と、
前記差分値算出手順によって算出された差分値に応じて、画質パラメータの基準値を調整することにより、前記画像表示手段の画面の画質を補正する画像補正手順と、
を実行させるためのプログラム。
【請求項１１】
画像を表示する画面を有する画像表示手段を備える画像処理装置のコンピュータに、
前記画像表示手段に対向しているユーザの顔を撮影する撮影手順と、
前記撮影手順による撮影で得られたユーザの顔の画像に基づいて、前記画像表示手段と該ユーザの顔とが形成する相対角度を算出する角度算出手順と、
前記角度算出手順によって算出された相対角度に応じて、前記画像表示手段の画面の画質を補正する画像補正手順と、
を実行させるためのプログラム。
【手続補正２】
【補正対象書類名】明細書
【補正対象項目名】発明の名称
【補正方法】変更
【補正の内容】
【発明の名称】画像処理装置、及びそのプログラム
【手続補正３】
【補正対象書類名】明細書
【補正対象項目名】０００１
【補正方法】変更
【補正の内容】
【０００１】
本発明は、画像処理装置、及びそのプログラムに関し、特に、視認性に優れた画像表示を可能にする画像処理装置、及びそのプログラムに関する。
【手続補正４】
【補正対象書類名】明細書
【補正対象項目名】０００６
【補正方法】変更
【補正の内容】
【０００６】
本発明は、上記実状に鑑みてなされたものであり、視認性に優れた画像表示を可能にする画像処理装置、及びそのプログラムを提供することを目的とする。
【手続補正５】
【補正対象書類名】明細書
【補正対象項目名】０００７
【補正方法】変更
【補正の内容】
【０００７】
上記目的を達成するため、本発明の第１の観点にかかる画像処理装置は、画像を表示する画面を有する画像表示手段と、前記画像表示手段の水平面に対する傾き角度を検出する角度検出手段と、前記角度検出手段によって検出された傾き角度と所定の基準角度の間の差分値を算出する差分値算出手段と、前記差分値算出手段によって算出された差分値に応じて、画質パラメータの基準値を調整することにより、前記画像表示手段の画面の画質を補正する画像補正手段と、を備える。
【手続補正６】
【補正対象書類名】明細書
【補正対象項目名】０００８
【補正方法】変更
【補正の内容】
【０００８】
また、上記画像処理装置において、実行可能な複数の機能のうち、現在動作中の機能を判別する機能判別手段を備え、前記差分値算出手段は、前記機能判別手段によって判別された機能に応じて、差分値の算出を行う、ようにしてもよい。
【手続補正７】
【補正対象書類名】明細書
【補正対象項目名】０００９
【補正方法】変更
【補正の内容】
【０００９】
さらに、上記画像処理装置において、前記画像補正手段は、前記差分値算出手段により算出された差分値が一定時間同じかあるいは所定範囲内の値を維持していた場合には、画面画質の補正を行う、ようにしてもよい。
【手続補正８】
【補正対象書類名】明細書
【補正対象項目名】００１２
【補正方法】変更
【補正の内容】
【００１２】
また、上記画像処理装置において、前記画像補正手段は、前記差分値算出手段によって算出された差分が所定の閾値を超えている場合、該差分に応じて、前記画質パラメータの基準値を調整する、ようにしてもよい。
【手続補正９】
【補正対象書類名】明細書
【補正対象項目名】００１３
【補正方法】変更
【補正の内容】
【００１３】
さらに、上記画像処理装置において、前記差分値と前記画質パラメータの調整値とを対応付けるテーブルを前記機能毎に記憶するテーブル記憶手段をさらに備え、前記画像補正手段は、前記差分値算出手段によって算出された差分に対応する前記所定パラメータの調整値を、設定されている機能に対応するテーブルから取得し、該取得した調整値に従って該画質パラメータの基準値を調整する、ようにしてもよい。
【手続補正１０】
【補正対象書類名】明細書
【補正対象項目名】００１４
【補正方法】変更
【補正の内容】
【００１４】
また、本発明の第２の観点にかかる画像処理装置は、画像を表示する画面を有する画像表示手段と、前記画像表示手段の画面に対向しているユーザの顔を撮影する撮影手段と、前記撮影手段による撮影で得られたユーザの顔画像に基づいて、前記画像表示手段の画面と該ユーザの顔とが形成する相対角度を算出する角度算出手段と、前記角度算出手段によって算出された相対角度に応じて、前記画像表示手段の画面の画質を補正する画像補正手段と、を備える。
【手続補正１１】
【補正対象書類名】明細書
【補正対象項目名】００１５
【補正方法】変更
【補正の内容】
【００１５】
また、上記画像処理装置において、前回の撮影で得られた顔画像と今回の撮影で得られた顔画像とを比較して、ユーザの顔の位置が移動したか否かを判別する顔移動判別手段と、前記顔移動判別手段によってユーザの顔の位置が移動したと判別された場合、今回の撮影で得られた顔画像に基づいて算出された角度と前回の撮影で得られた顔画像に基づいて算出された角度との差分を算出することにより、該ユーザの顔の位置の移動量を取得する顔移動量取得手段と、を更に備え、前記画像補正手段は、前記顔移動量取得手段によって取得した移動量に応じて、画質パラメータの基準値を調整することにより、前記画像表示手段の画面の画質を補正する、ようにしてもよい。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
また、本発明の第３の観点にかかるプログラムは、画像を表示する画面を有する画像表示手段を備える画像処理装置のコンピュータに、前記画像表示手段の水平面に対する傾き角度を検出する角度検出手順と、前記角度検出手順によって検出された傾き角度と所定の基準角度との間の差分値を算出する差分値算出手順と、前記差分値算出手順によって算出された差分値に応じて、画質パラメータの基準値を調整することにより、前記画像表示手段の画面の画質を補正する画像補正手順と、を実行させる。
【手続補正１４】
【補正対象書類名】明細書
【補正対象項目名】００１８
【補正方法】変更
【補正の内容】
【００１８】
また、本発明の第４の観点にかかるプログラムは、画像を表示する画面を有する画像表示手段を備える画像処理装置のコンピュータに、前記画像表示手段に対向しているユーザの顔を撮影する撮影手順と、前記撮影手順による撮影で得られたユーザの顔の画像に基づいて、前記画像表示手段と該ユーザの顔とが形成する相対角度を算出する角度算出手順と、前記角度算出手順によって算出された相対角度に応じて、前記画像表示手段の画面の画質を補正する画像補正手順と、を実行させる。
【手続補正１５】
【補正対象書類名】明細書
【補正対象項目名】００１９
【補正方法】変更
【補正の内容】
【００１９】
本発明によれば、視認性に優れた画像表示を可能にする画像処理装置、及びそのプログラムを提供することができる。
【手続補正１６】
【補正対象書類名】明細書
【補正対象項目名】００８５
【補正方法】変更
【補正の内容】
【００８５】
本実施形態における移動体通信端末１３は、上述した実施形態１及び２における移動体通信端末１の構成において、図８に示すように、蓋部３の正面に自分撮り用撮像レンズ１０を備えている。
【手続補正１７】
【補正対象書類名】明細書
【補正対象項目名】００８７
【補正方法】変更
【補正の内容】
【００８７】
これを図８を参照してより詳細に説明すると、端末制御部２０は、自分撮り用撮像レンズ１０でユーザの顔を撮影してユーザの顔画像を取得し、取得した顔画像からユーザの目の位置を検出する。そして、端末制御部２０は、検出した目の位置に基づいて、ユーザの目とモニタ９の画面とが形成する相対角度を算出することにより、ユーザの顔と移動体通信端末１３の蓋部３が開放状態におけるモニタ９の画面とが形成する相対角度を取得する。図８（ａ）では、角度αは、通常の使用形態に近い、ユーザの目４０とモニタ９の画面がほぼ直角になっている。
【手続補正１８】
【補正対象書類名】明細書
【補正対象項目名】００８９
【補正方法】変更
【補正の内容】
【００８９】
自分撮り用撮像レンズ１０は、ユーザの顔あるいは目の画像を定期的に取得することで、目の位置が変わったことを検出し、これに基づいて、モニタ９の画面と目との間の相対角度の変化（相対角度の差分β−α）を算出する。
【手続補正１９】
【補正対象書類名】明細書
【補正対象項目名】００９２
【補正方法】変更
【補正の内容】
【００９２】
次に、端末制御部２０は、機能モードフラグがカメラモードに設定されているか否かを判別する（ステップＳ１４２）。カメラモードに設定されている場合には（ステップＳ１４２；Ｙｅｓ）、続いて自分撮り用撮像レンズ１０がユーザの方向に向いているか否かを判別する（ステップＳ１４３）。
【手続補正２０】
【補正対象書類名】明細書
【補正対象項目名】００９３
【補正方法】変更
【補正の内容】
【００９３】
上述したステップＳ１４３の処理において自分撮り用撮像レンズ１０がユーザの方向に向いていると判別した場合には（ステップＳ１４３；Ｙｅｓ）、ＲＡＭ等に設けられたタイマＳがタイムアウトしたか否かを判別する（ステップＳ１４４）。このタイマＳは、自分撮り用撮像レンズ１０による撮影間隔を示すものであり、後述するステップＳ１５６においてセットされる。タイマＳがタイムアウトしている場合（ステップＳ１４４；Ｙｅｓ）、端末制御部２０は、自分撮り用撮像レンズ１０でユーザの顔を撮像して顔画像（Ｐ１）を取り込む（ステップＳ１４５）。
【手続補正２１】
【補正対象書類名】明細書
【補正対象項目名】００９４
【補正方法】変更
【補正の内容】
【００９４】
なお、この第３の実施形態では、タイマＳの間隔でユーザの顔あるいは目の画像を定期的に自分撮り用撮像レンズ１０によって取得する例を示しているが、自分撮り用撮像レンズ１０による画像取得は、移動体通信端末１３が特定の状態にあるときだけ行うようにしてもよい。例えば、移動体通信端末１３においてユーザの操作に基づくアプリケーション機能の動作が行われていなかったり、あるいはアプリケーション動作中でも一定時間以上ユーザによる操作が無い場合には、後述するステップＳ１４５の処理を行わないようにしてもよい。
【手続補正２２】
【補正対象書類名】明細書
【補正対象項目名】００９５
【補正方法】変更
【補正の内容】
【００９５】
ところで、ステップＳ１４２の処理にてカメラモード以外のモードに設定されていると判別した場合（ステップＳ１４２；Ｎｏ）や、ステップＳ１４３の処理において自分撮り用撮像レンズ１０がユーザの方向に向いていないと判別した場合（ステップＳ１４３；Ｎｏ）、また、ステップＳ１４４の処理にてタイマＳがタイムアウトしていないと判別した場合には（ステップＳ１４４；Ｎｏ）、ステップＳ１４２の処理に戻る。
【手続補正２３】
【補正対象書類名】明細書
【補正対象項目名】０１１２
【補正方法】変更
【補正の内容】
【０１１２】
１…移動体通信端末、２…本体部、３…蓋部、４…ヒンジ部、５…操作キー、６…マイクロフォン、７…加速度センサ、８…スピーカ、９…モニタ、１０…自分撮り用撮像レンズ、１１…アンテナ、１２…撮影レンズ、１３…サブモニタ、２０…端末制御部、２１…テレビチューナ部、２２…無線制御部、２３…受信部、２４…送信部、２５…操作制御部、２６…表示制御部、２７…傾き検出部、２８…動作機能判別部、２９…音声処理部、３０…符号化部、３１…記憶部、３２…カメラ映像処理部